(57)【特許請求の範囲】
【請求項１】
開口部を有する中空部材を支持体に取り付けるための取付具であって、
中空部材の開口部から突出するように、かつ中空部材の開口部近傍の内壁との間に間隙が形成されるようにして当該中空部材に固定されるインナー部材と、前記中空部材の開口部近傍の内壁とインナー部材との間の間隙から引き出され、前記インナー部材の前記中空部材開口部からの突出部を覆うことのできるカバー部材と、支持体に固定されるとともに、前記インナー部材が固定されるベース部材とを備え、
前記ベース部材にはねじ穴が形成されており、前記カバー部材および前記インナー部材には貫通穴が形成されており、前記カバー部材の貫通穴およびインナー部材の貫通穴を貫通し前記ベース部材のねじ穴に螺合されるねじにより、前記中空部材は前記支持体に固定されることを特徴とする中空部材取付具。
【請求項２】
前記インナー部材と前記ベース部材とは互いに嵌合し得る形状となっていることを特徴とする請求項１に記載の中空部材取付具。
【請求項３】
前記インナー部材の貫通穴は、当該貫通穴を貫通するねじとの間に遊びが設けられるように当該インナー部材に形成されていることを特徴とする請求項１または２に記載の中空部材取付具。
【請求項４】
前記インナー部材には、前記カバー部材の中空部材内方への移動を規制するストッパーが設けられていることを特徴とする請求項１〜３のいずれかに記載の中空部材取付具。
【請求項５】
開口部を有する中空部材を支持体に取り付けるための取付具であって、
中空部材の開口部から突出するように、かつ中空部材の開口部近傍の内壁との間に間隙が形成されるようにして当該中空部材に固定されるインナー部材と、
前記中空部材の開口部近傍の内壁とインナー部材との間の間隙から引き出され、前記インナー部材の前記中空部材開口部からの突出部を覆うことのできるカバー部材とを備え、
前記インナー部材には、前記カバー部材の中空部材内方への移動を規制するストッパーが設けられていることを特徴とする中空部材取付具。
【請求項６】
支持体に固定されるとともに、前記インナー部材が固定されるベース部材をさらに備えたことを特徴とする請求項５に記載の中空部材取付具。
【請求項７】
前記インナー部材と前記ベース部材とは互いに嵌合し得る形状となっていることを特徴とする請求項６に記載の中空部材取付具。
【請求項８】
開口部を有する中空部材であって、
請求項１〜７のいずれかに記載の中空部材取付具を備えたことを特徴とする取付具付き中空部材。
【発明の詳細な説明】
【０００１】
【発明の属する技術分野】
本発明は、開口部を有する中空部材（特に建築用部材）を支持体に取り付けるための取付具、そのような取付具を備えた中空部材、および中空部材の支持体への取付方法に関するものである。
【０００２】
【従来の技術】
近年、建築用の装飾部材として、両端が開口している長尺の中空部材が用いられるようになっている。従来、このような中空部材の支持体への取り付けは、図７に示すように、中空部材３Ｐ内に挿入されている落下防止金具９１Ｐの両端にアーム金具９２Ｐを取り付け、そのアーム金具９２Ｐを下地側方立９３Ｐに固定することにより行っている。
【０００３】
【発明が解決しようとする課題】
しかしながら、上記のように中空部材３Ｐから落下防止金具９１Ｐおよびアーム金具９２Ｐが露出していると、デザイン的に美しくなく、中空部材３Ｐによる装飾が台無しになってしまう。
【０００４】
本発明は、このような実情に鑑みてなされたものであり、中空部材をデザイン的に美しく支持体に取り付けることのできる取付具、そのような取付具を備えた中空部材、および中空部材の支持体への取付方法を提供することを目的とする。
【０００５】
【課題を解決するための手段】
上記目的を達成するために、本発明に係る中空部材取付具は、開口部を有する中空部材を支持体に取り付けるための取付具であって、中空部材の開口部から突出するように、かつ中空部材の開口部近傍の内壁との間に間隙が形成されるようにして当該中空部材に固定されるインナー部材と、前記中空部材の開口部近傍の内壁とインナー部材との間の間隙から引き出され、前記インナー部材の前記中空部材開口部からの突出部を覆うことのできるカバー部材と、支持体に固定されるとともに、前記インナー部材が固定されるベース部材とを備え、前記ベース部材にはねじ穴が形成されており、前記カバー部材および前記インナー部材には貫通穴が形成されており、前記カバー部材の貫通穴およびインナー部材の貫通穴を貫通し前記ベース部材のねじ穴に螺合されるねじにより、前記中空部材は前記支持体に固定されることを特徴とする（請求項１）。
【０００６】
ここで、「インナー部材」は、支持体または支持体に固定された部材に取り付けられるものとする。「中空部材」としては、両端が開口している筒状の中空部材（特に建築用）を主として例示することができるが、本発明はこれに限定されるものではない。例えば、中空部材は筒状でなくてもよいし、筒の一端が閉塞された形状となってもよいし、開口部は１つまたは３つ以上であってもよい。
【０００７】
インナー部材、またはインナー部材と支持体もしくは支持体に固定された部材との接合部分は、機能が優先されデザインが犠牲にされることが多いが、上記発明（請求項１）によれば、インナー部材をカバー部材で覆うことができるため、中空部材の支持体への取付部分をデザイン的に美しくすることができる。カバー部材は、インナー部材に加えて、このベース部材をも覆うのが好ましく、これにより、中空部材の支持体への取付部分をデザイン的により美しくすることができる。また、このベース部材は、２つ１組となって支持体を挟むようにして当該支持体に固定されてもよく、そのようにすることにより、中空部材を直列的に支持体に取り付けることができる。さらに、上記発明（請求項１）によれば、カバー部材およびインナー部材をまとめて、すなわち効率的にベース部材に固定することができる。
【０００８】
上記中空部材取付具（請求項１）において、前記インナー部材と前記ベース部材とは互いに嵌合し得る形状となっているのが好ましい（請求項２）。ベース部材の形状としては、例えば立方体状、円柱状等とすることができ、インナー部材の形状としては、例えば正面視コの字状、正面視半円状等とすることができる。上記発明（請求項２）によれば、インナー部材をベース部材に確実に固定することができ、したがって、中空部材を支持体に安定した状態で取り付けることができる。また、場合によっては、インナー部材をベース部材に仮留めすることも可能である。
【０００９】
上記中空部材取付具（請求項１，２）において、前記インナー部材の貫通穴は、当該貫通穴を貫通するねじとの間に遊びが設けられるように当該インナー部材に形成されているのが好ましい（請求項３）。この遊びは、少なくともインナー部材の長手方向に設けられるのが好ましい。
【００１０】
上記発明（請求項３）によれば、温度変化によりインナー部材が伸縮した場合でも、インナー部材、ねじ、カバー部材および支持体に余分な応力が生じず、それらの部材の破壊・変形を防止することができる。
【００１１】
上記中空部材取付具（請求項１〜３）において、前記インナー部材には、前記カバー部材の中空部材内方への移動を規制するストッパーが設けられているのが好ましい（請求項４）。
【００１２】
上記発明（請求項４）によれば、カバー部材が中空部材の内方に入りすぎて、当該カバー部材を中空部材から引き出すのが困難になることを防止することができる。
【００１３】
また、本発明の中空部材取付具は、開口部を有する中空部材を支持体に取り付けるための取付具であって、中空部材の開口部から突出するように、かつ中空部材の開口部近傍の内壁との間に間隙が形成されるようにして当該中空部材に固定されるインナー部材と、前記中空部材の開口部近傍の内壁とインナー部材との間の間隙から引き出され、前記インナー部材の前記中空部材開口部からの突出部を覆うことのできるカバー部材とを備え、前記インナー部材には、前記カバー部材の中空部材内方への移動を規制するストッパーが設けられていることを特徴とする（請求項５）。
【００１４】
上記中空部材取付具（請求項５）は、支持体に固定されるとともに、前記インナー部材が固定されるベース部材をさらに備えていてもよい（請求項６）。
【００１５】
上記中空部材取付具（請求項６）において、前記インナー部材と前記ベース部材とは互いに嵌合し得る形状となっているのが好ましい（請求項７）。
【００１６】
本発明に係る取付具付き中空部材は、開口部を有する中空部材であって、前記中空部材取付具（請求項１〜７）を備えたことを特徴とする（請求項８）。
【００１７】
【発明の実施の形態】
以下、本発明の実施形態を図面に基づいて説明する。図１（ａ）は本発明の一実施形態によるベース部材の上面図、図１（ｂ）は同ベース部材の側面断面図（図１（ａ）のＡ−Ａ断面図）、図１（ｃ）は同ベース部材の正面図、図２（ａ）は同実施形態による取付具付き中空部材の正面図、図２（ｂ）は同取付具付き中空部材の側面断面図（図２（ａ）のＢ−Ｂ断面図）、図３（ａ）は同実施形態による取付具付き中空部材におけるインナー部材をベース部材に嵌合させた状態を示す上面断面図、図３（ｂ）は同インナー部材をベース部材に嵌合させた状態を示す側面断面図（図３（ａ）のＣ−Ｃ断面図）、図４は同実施形態による取付具付き中空部材におけるインナー部材をベース部材に嵌合させた状態を示す正面図（図３（ｂ）のＤ−Ｄ断面図）、図５（ａ）は同実施形態による取付具付き中空部材を支柱に取り付けた状態を示す上面断面図、図５（ｂ）は同取付具付き中空部材を支柱に取り付けた状態を示す側面断面図（図５（ａ）のＥ−Ｅ断面図）、図６は同実施形態による取付具付き中空部材を支柱に取り付けた状態を示す斜視図である。
【００１８】
本実施形態による取付具付き中空部材を支柱（本発明における支持体の一例）に取り付けるには、最初に、図１に示すように、２つ１組のベース部材１を支柱２に固定する。なお、支柱２は、所定の間隔をもって複数本垂直方向に立設されているものとする（図６参照）。
【００１９】
本実施形態によるベース部材１は、略立方体状となっており、ベース部材１の上面部には縦方向のねじ穴１１が１つ形成されている。ベース部材１の正面から背面にかけては、ベース部材１を貫通する横方向のねじ穴１２，１３が２つ形成されており、一方のねじ穴１２の入口部には、さらねじの頭部が収容される皿部が形成されている。また、ベース部材１の上面と両側面との境界部分は、面取りがなされている。
【００２０】
支柱２には、ベース部材１の横方向のねじ穴１２，１３の径および間隔に対応するように、２つ１組の貫通孔２１が形成されている。この２つ１組の貫通孔２１の数は、支柱２に取り付ける中空部材の本数に応じて決定される。
【００２１】
ベース部材１を支柱２に固定するには、２つのベース部材１で支柱２を挟み込み、各ベース部材１のねじ穴１２にねじ１４（図１では十字穴付きさらねじを例示）を螺入する。ねじ１４は、支柱２の貫通孔２１を貫通し、対向するベース部材１のねじ穴１３にねじ込まれる。このようにして、２つ１組のベース部材１は支柱２に固定される。
【００２２】
なお、ベース部材１を、上記のように２本のねじ１４が交互に螺入されるような形状にすると、２本のねじ１４の頭部が並ばないため、２本のねじ１４の間隔を狭くすることができ、したがってベース部材１をコンパクトに形成することができる。
【００２３】
次に、上記ベース部材１を固定した支柱２に取り付ける、本実施形態による取付具付き中空部材について説明する。図２に示すように、本実施形態による取付具付き中空部材は、両端が開口している長尺四角筒状の中空部材３と、中空部材３の内壁に接着剤４を介して接着されたインナー部材５と、中空部材３とインナー部材５との間に位置するカバー部材６と、インナー部材５に設けられたストッパー７とから構成される。
【００２４】
本実施形態における中空部材３は、装飾用の建築部材としての中空部材であり、例えば、レンガ、コンクリート、モルタル、セラミックス、金属、石、木等を材料とするものである。
【００２５】
インナー部材５は、中空部材３の中空部を貫通する長尺の部材であり、インナー部材５の両端部は、中空部材３の開口端から突出している。このインナー部材５の中空部材３の開口端からの突出量は、中空部材３が支柱２に確実に固定されるよう、中空部材３の重さや長さに応じて決定されるが、通常は１０〜３０ｍｍ程度である。
【００２６】
インナー部材５の形状は、上記ベース部材１に嵌合し得るように、図２（ａ）に示すように下側が開口している断面コの字状になっている。このインナー部材５の上板部の両端部には、ベース部材１の縦方向のねじ穴１１よりも大きな径を有する貫通孔５１が形成されている。
【００２７】
接着剤４は、インナー部材５の上面から側面上部にかけて、ストッパー７よりも中空部材３の内方に介在し、インナー部材５を中空部材３の内壁に接着している。これにより、中空部材３の端部（ストッパー７より外側の部分）の内壁とインナー部材５との間には、間隙５２が形成される。接着剤４の種類は特に限定されるものではないが、ある程度弾性を有するものが好ましく、例えば、変性シリコーン系の接着剤等を使用するのが好ましい。
【００２８】
カバー部材６は、四角筒状の形状を有し、カバー部材６の上板部には、ベース部材１の縦方向のねじ穴１１に螺合するさらねじの頭部が収容される貫通孔６２が形成されている。このカバー部材６は、中空部材３の端部内壁とインナー部材５との間の間隙５２に位置し、中空部材３の中空部に対して出し入れ自在となっている。
【００２９】
カバー部材６の長さは、少なくともインナー部材５の中空部材３の開口端からの突出量よりも長く設定されており、これにより、インナー部材５とベース部材１との結合部分を覆い隠すことができる。
【００３０】
本実施形態におけるストッパー７のインナー部材５に対する設置位置は、カバー部材６の後端（中空部材３の内方側の端）がストッパー７に当接したときに、カバー部材６の先端部が中空部材３の開口端からわずかに突出するような位置とされている（図２（ｂ）参照）。ストッパー７の設置位置をこのように設定することにより、カバー部材６の中空部材３内方への移動を規制し、中空部材３の中空部（間隙５２）からカバー部材６を引き出し易くすることができる。
【００３１】
上記取付具付き中空部材を支柱２に取り付けるには、図３および図４に示すように、カバー部材６を中空部材３の中空部内方に入れ込んだ状態で、インナー部材５の両端部を、既に支柱２に固定したベース部材１に嵌合させる。このとき、インナー部材５は、ベース部材１に載置される形になるため、中空部材３から手を離しても中空部材３が落下することはない。なお、ベース部材１の上面と両側面との境界部分は面取りがなされているため、インナー部材５はベース部材１に対してスムーズに嵌合させることができる。
【００３２】
次いで、図５に示すように、カバー部材６を中空部材３の中空部（間隙５２）から引き出し、カバー部材６の先端を支柱２に当接させる。その状態で、ねじ８（図５では十字穴付きさらねじを例示）をカバー部材６の貫通穴６１およびインナー部材５の貫通穴５１に貫通させ、ベース部材１のねじ穴１１に螺合させる。
【００３３】
このとき、ねじ８の頭部は、カバー部材６の貫通穴６１に収容される。また、インナー部材５の貫通穴５１は、ベース部材１のねじ穴１１よりも大きな径を有するため、ねじ８とインナー部材５の貫通穴５１との間には遊びが生じる。このようにねじ８とインナー部材５の貫通穴５１との間に遊びがあると、温度変化によりインナー部材５が伸縮した場合でも、インナー部材５、ねじ８、カバー部材６および支柱２に余分な応力が生じず、それらの部材の破壊・変形を防止することができる。
【００３４】
このようにして支柱２に取り付けた取付具付き中空部材においては、図５および図６に示すように、ベース部材１とインナー部材５との接合部分が覆い隠され、デザイン的に美しいものとなる。
【００３５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３６】
例えば、ベース部材１は、ねじ１４ではなく溶接により支柱２に固定されてもよいし、２つ１組ではなく単体で支柱２に固定されてもよいし、支柱２と一体的に形成されてもよい。また、中空部材３およびカバー部材６は四角筒状ではなく、それ以外の多角筒状または円筒状であってもよく、それに合わせてベース部材１およびインナー部材５の形状が変形されてもよい。さらに、インナー部材５をベース部材１に固定する手段とカバー部材６をインナー部材５に固定する手段とは別であってもよく、カバー部材６のインナー部材５に対する固定は、接着剤、接着テープ、マジックテープ（登録商標）等により行ってもよい。
【００３７】
さらに、本実施形態におけるカバー部材６は、カバー部材６の後端がストッパー７に当接したときに、カバー部材６の先端部が中空部材３の開口端からわずかに突出するようになっているが、本発明はこれに限定されることなく、カバー部材６の先端部は中空部材３の開口端と面一になってもよいし、中空部材３の内部に入り込んでもよい。この場合、中空部材３の開口端からはみ出すテープをカバー部材６に剥離可能に貼着してもよく、このテープを引っ張ることによりカバー部材６を中空部材３の中空部から引き出すことができる。なお、このテープは、カバー部材６を引き出した後、カバー部材６から剥離すればよい。
【００３８】
また、カバー部材６の後端とストッパー７との間には、カバー部材６を中空部材３の開口端外方に付勢するバネを設けてもよい。この場合、カバー部材６を中空部材３側に押圧して、当該バネを押し縮めながらカバー部材６を中空部材３の中空部に収容し、その状態でインナー部材５をベース部材１に嵌合させ、その後、カバー部材６を押圧する力を解放して、バネの復元力で中空部材３の中空部からカバー部材６を飛び出させることにより、そのカバー部材６でベース部材１とインナー部材５との接合部分を覆い隠すことができる。
【００３９】
【発明の効果】
以上説明したように、本発明によれば、中空部材をデザイン的に美しく支持体に取り付けることができる。
【図面の簡単な説明】
【図１】（ａ）は本発明の一実施形態によるベース部材の上面図、（ｂ）は同ベース部材の側面断面図（（ａ）
のＡ−Ａ断面図）、（ｃ）は同ベース部材の正面図である。
【図２】（ａ）は同実施形態による取付具付き中空部材の正面図、（ｂ）は同取付具付き中空部材の側面断面図（（ａ）のＢ−Ｂ断面図）である。
【図３】（ａ）は同実施形態による取付具付き中空部材におけるインナー部材をベース部材に嵌合させた状態を示す上面断面図、（ｂ）は同インナー部材をベース部材に嵌合させた状態を示す側面断面図（（ａ）のＣ−Ｃ断面図）である。
【図４】同実施形態による取付具付き中空部材におけるインナー部材をベース部材に嵌合させた状態を示す正面図（図３（ｂ）のＤ−Ｄ断面図）である。
【図５】（ａ）は同実施形態による取付具付き中空部材を支柱に取り付けた状態を示す上面断面図、（ｂ）は同取付具付き中空部材を支柱に取り付けた状態を示す側面
断面図（（ａ）のＥ−Ｅ断面図）である。
【図６】同実施形態による取付具付き中空部材を支柱に取り付けた状態を示す斜視図である。
【図７】従来の中空部材の支持体への取り付けを示す斜視図である。
【符号の説明】
１…ベース部材
１１…ねじ穴
２…支柱（支持体）
３，３Ｐ…中空部材
４…接着剤
５…インナー部材
５１…貫通穴
６…カバー部材
６１…貫通穴
７…ストッパー
８…ねじ
【図１】
0003916918.tif 000002
【図２】
0003916918.tif 000003
【図３】
0003916918.tif 000004
【図４】
0003916918.tif 000005
【図５】
0003916918.tif 000006
【図６】
0003916918.tif 000007
【図７】
0003916918.tif 000008